(57)【要約】【課題】火災発生の際に、ドアの吊元側縦枠とドア本体との間の隙間の発生を防止し得る構造のドアを提供する。【解決手段】矩形のドア枠１内に、ドア本体２の吊元側の上下に設けた枢着軸１９を中心としてドア本体２を開閉可能に取付ける。吊元側縦枠３のドア本体２の端面２ａに対向する面３ｄに第１の加熱発泡材２４を取付ける。吊元側縦枠３のドア本体２の室内側の面２ｂに対向する面側に、第１の加熱発泡材２４と隙間を有して第２の加熱発泡材２５を取付ける。第１の加熱発泡材２４の後に第２の加熱発泡材２５が発泡する。これにより、第１の加熱発泡材２４が発泡した後、第１の加熱発泡材２４とドア本体２との間に隙間が生じても、第２の加熱発泡材２５が発泡することによりその隙間を埋める。【選択図】図５
2015178711.tif 000002
【特許請求の範囲】
【請求項１】
縦枠および横枠により構成された矩形のドア枠内に、ドア本体の吊元側の上下に設けた枢着軸を中心としてドア本体を開閉可能に取付けてなるドアにおいて、
吊元側縦枠の見込面に熱により膨張する第１の耐火材を設け、吊元側縦枠の見付面に、熱により膨張する第２の耐火材を設けたことを特徴とするドア。
【請求項２】
請求項１に記載のドアにおいて、
前記耐火材は、前記吊元側縦枠に設けられる金具に取り付けられ、
前記金具は、吊元側縦枠の見込方向に沿って延びる片と、吊元側縦枠の見付方向に沿って延びる片とを有し、
前記金具の前記吊元側縦枠の見込方向に沿って延びる片に前記第１の耐火材を設け、前期金具の前記吊元側縦枠の見付方向に沿って延びる片に前記第２の耐火材を設けたことを特徴とするドア。
【請求項３】
請求項１または２に記載のドアにおいて、
前記第１の耐火材と前記第２の耐火材との間に隙間を設けたことを特徴とするドア。
【発明の詳細な説明】
【技術分野】
【０００１】
本発明は、アパートや一般住宅等に用いられるドアに関する。
【背景技術】
【０００２】
室内またはで室外で火災が発生した場合、障子（ドア本体）と枠との間から火炎や可燃ガスが流出または流入することを防止することが、延焼を防ぐために必要である。このため、特許文献１には、屋外で発生した火災によって加熱発泡材が火災による熱を受けてなるべく迅速に発泡させるようにするため、枠の障子より室内側の部分に、加熱発泡材を斜めに取付けた構造が開示されている。
【先行技術文献】
【特許文献】
【０００３】
【特許文献１】特開２０１３−７２２１８号公報
【発明の概要】
【発明が解決しようとする課題】
【０００４】
アパート等に設置されるドアとして、ドア本体の吊元側の上下を枢着軸によりドア枠に開閉可能に取付けたものがある。このようなドアの場合、室外側で発生した火災によりドア本体の中央部が膨張し、ドア本体の吊元側端部の上下方向の中央部は室外側に反る可能性があった。このため、反りによってできた隙間を通して室外側から火炎や熱気が室内に流入し、延焼が起こりやすくなる可能性があった。このような隙間の拡大を防止するため、特許文献１のような加熱発泡材を枠に取付けたとしても、一旦加熱発泡材が発泡した後、さらに隙間が拡大すれば、発泡後の加熱発泡材とドア本体との間に隙間が発生するので、再び延焼の可能性が生じてくる。
【０００５】
本発明は、上記問題点に鑑み、火災発生の際に、ドアの吊元側縦枠とドア本体との間の隙間の発生を防止し得る構造のドアを提供することを目的とする。
【課題を解決するための手段】
【０００６】
請求項１のドアは、縦枠および横枠により構成された矩形のドア枠内に、ドア本体の吊元側の上下に設けた枢着軸を中心としてドア本体を開閉可能に取付けてなるドアにおいて、
吊元側縦枠の見込面に熱により膨張する第１の耐火材を設け、吊元側縦枠の見付面に、熱により膨張する第２の耐火材を設けたことを特徴とする。
【０００７】
請求項２のドアは、請求項１に記載のドアにおいて、
前記耐火材は、前記吊元側縦枠に設けられる金具に取り付けられ、
前記金具は、吊元側縦枠の見込方向に沿って延びる片と、吊元側縦枠の見付方向に沿って延びる片とを有し、
前記金具の前記吊元側縦枠の見込方向に沿って延びる片に前記第１の耐火材を設け、前期金具の前記吊元側縦枠の見付方向に沿って延びる片に前記第２の耐火材を設けたことを特徴とする。
【０００８】
請求項３のドアは、請求項１または２に記載のドアにおいて、
前記第１の耐火材と前記第２の耐火材との間に間隔を設けたことを特徴とする。
【発明の効果】
【０００９】
請求項１の発明によれば、火災時にドア本体と縦枠の間に発生する隙間を熱により膨張する第１および第２の耐火材により塞ぐことができる。
【００１０】
請求項２の発明によれば、加熱発泡材取付け金具を通して熱が第１の加熱発泡材から第２の加熱発泡材に伝達されるため、第１の加熱発泡材が発泡した後、第２の加熱発泡材が迅速に発泡するので、吊元側縦枠とドア本体の吊元側端部との間の隙間が閉塞される。
【００１１】
請求項３の発明によれば、第１の耐火材と第２の耐火材との間に間隔をもたせたので、両者の膨張をの時間差を確実に持たせることができる。
【図面の簡単な説明】
【００１２】
【図１】本発明のドアの一実施の形態を室外側から見た図である。
【図２】図１のドアの縦断面図である。
【図３】図１のドアの横断面図である。
【図４】本実施の形態のドア本体の枢着部を示す縦断面図である。
【図５】（Ａ）は本実施の形態の加熱発泡材の取付け構造を示す横断面図、（Ｂ）は加熱発泡材および加熱発泡材取付け金具を分解して示す平面図である。
【図６】本実施の形態において、第１の加熱発泡材の発泡後の状態を示す横断面図である。
【図７】図６の状態から、発泡した加熱発泡材とドア本体との間に隙間が発生した状態を示す横断面図である。
【図８】図７の状態から、第２の加熱発泡材により、隙間が閉塞された状態を示す横断面図である。
【図９】本発明のドアの他の実施の形態を示す横断面図である。
【発明を実施するための形態】
【００１３】
図１は本発明のドアの一実施の形態を室内側から見た図、図２、図３はそれぞれ図１のドアの縦断面図および横断面図である。図１ないし図３において、１はドア枠、２はドア枠１内に取付けられるドア本体である。ドア枠１は、アルミニウム合金等の金属製押出形材でなる吊元側縦枠３と戸先側縦枠４と上側の横枠（上枠）５と下側の横枠（下枠）６とをタッピングねじ(図示せず)により組み合わせて矩形に構成する。本実施の形態においては、縦枠３，４および上枠５は室外側部材３ａ，４ａ，５ａと室内側部材３ｂ，４ｂ，５ｂとの間をゴム等の断熱性のブリッジ材３ｃ，４ｃ，５ｃとでそれぞれ結合して断熱性を高めている。また、下枠６も室内側の表面を合成樹脂材表面材６ａで覆っている。
【００１４】
図１において、７はドア本体２の戸先側に設けた開閉用ハンドル、８ａ，８ｂは上下のシリンダー錠である。
【００１５】
本実施の形態のドア本体２は、ステンレス鋼でなる内側表面板１０および外側表面板１１との間にパネル状の断熱材１２を挟み、断熱材１２を内側表面板１０と外側表面板１１に接着して構成している。なお、内側表面板１０と外側表面板１１はその各両側部、上端部、下端部をそれぞれＬ字形に折り曲げ、各Ｌ字形の折曲げ端部を突き合わせてボックス状に構成している。断熱材１２には例えば発泡ポリスチレン等の発泡材を用いる。１４は縦枠３，４、上枠５および下枠６に取付けられた気密材であり、ドア本体２の周囲の室内側の面を当接させて気密性を保つものである。
【００１６】
図４は本実施の形態のドア本体２の枢着部を示す縦断面図である。図４に示すように、ドア本体２の吊元側には鋼製の芯材１５をドア本体２の上下全長にわたって設け、内側表面板１０または外側表面板１１の少なくともいずれか一方にリベット１６により固定する。芯材１５の上下端部には枢着用のプレート１７，１８をねじなどにより固定する。下枠６の吊元側縦枠３側には枢着軸１９を取付け、その枢着軸１９を、筒状スペーサ２０と、プレート１８に設けた枢着孔１８ａに回動可能に嵌合する。また、芯材１５の上面にねじなどにより固定したプレート１７には上方に突出させて枢着軸２１を設ける。一方、上枠５の吊元側縦枠３側には鋼製の軸受部材２２を設け、この軸受部材２２に枢着孔２２ａを設ける。そして枢着軸２１を軸受部材２２の枢着孔２２ａに回動可能に嵌合する。これにより、ドア本体２をドア枠１に開閉可能に取付ける。
【００１７】
図５（Ａ）は吊元側縦枠３に対する加熱発泡材２４，２５の取付け構造を示す横断面図、図５（Ｂ）は熱により膨張する第１の耐火材として設ける第１の加熱発泡材２４と、熱により膨張する第２の耐火材として設ける第２の加熱発泡材２５と、これらの加熱発泡材２４，２５の取付け金具２６を示す分解平面図である。図５（Ｂ）に示すように、加熱発泡材取付け金具２６は横断面形状がＬ字形をなし、吊元側縦枠３の見込面３ｄに沿って延びる面２６ａと、吊元側縦枠３の見付面に沿って延びる面２６ｂとを有する。この加熱発泡材取付け金具２６は好ましくはドア本体２の上下方向のほぼ全長にわたる長さを有する。
【００１８】
図５（Ａ）に示すように、第１の加熱発泡材２４は加熱発泡材取付け金具２６の吊元側縦枠３の見込面に沿って延びる面２６ａに両面テープ（図示せず）または接着により固着すると共に、両者をリベットやねじなどの固定具２７により、吊元側縦枠３の見込面３ｄに取付ける。
【００１９】
第２の加熱発泡材２５は、加熱発泡材取付け金具２６の吊元側縦枠３の見付面に沿って延びる面２６ｂに両面テープ（図示せず）または接着により固着すると共に、両者をリベットやねじなどの固定具２８により、両者を結合する。加熱発泡材２４，２５は、ドア本体が反る位置、すなわち少なくともドア本体の上下方向の中央部に設けるが、ドア本体２の全長にわたってこれらの加熱発泡材２４，２５を設けてもよい。図５（Ａ）に示すように、加熱発泡材２４，２５は、これらの間に間隔を持たせて取付ける。
【００２０】
図５（Ａ）に示すように、吊元側縦枠３の室内側部材３ｂの見付面には、断熱のための合成樹脂材３ｅが設けられ、この合成樹脂材３ｅと加熱発泡材取付け金具２６との間に、伝熱を避けるための隙間を形成している。
【００２１】
この構成において、室外側で火災が発生してその炎または熱気がドアに作用した場合、ドア本体２は上下が枢着軸１９，２１によりドア枠１に固定されているため、ドア本体２の吊元側は、上下方向の中央部が室外側に突出するように反る。なお、ドア本体２の戸先側は、上下方向の中央部がハンドル7に設けられたラッチ錠により縦枠４に固定されるため、ドア本体２の上下方向の中央側は室外側に反ることはない。また、室内側で火災が発生した場合、ドア本体２の吊元側の上下方向の中央部は室内側に反り、縦枠３に押しつけられるため、吊元側縦枠３とドア本体２との間の隙間発生の問題は生じない。
【００２２】
上述のように、室外側で火災が発生した場合、火炎や熱気により、ドア本体２の上下方向の中央側が室外側に反るが、まず、火災による熱によって第１の加熱発泡材２４が発泡するため、図６に示すように、吊元側縦枠３とドア本体２との間の隙間は発泡後の加熱発泡材２４ａにより閉塞される。この時、第２の加熱発泡材２５はドアの室外側の面から離れているため、第１の加熱発泡材２４が発泡した時には発泡しない。
【００２３】
しかしながら、第１の加熱発泡材２４の発泡後、火災による火炎や熱気により、図７に矢印２９で示すように、ドア本体２の吊元側がさらに室外側に反ると、ドア本体２と発泡後の第１の加熱発泡材２４ａとの間の隙間Ｇが生じる。
【００２４】
しかし、この隙間Ｇは、第２の加熱発泡材２５が加熱されることにより、第１の加熱発泡材２４の後で発泡することにより、図８に示すように閉塞される。すなわち、第２の加熱発泡材２５は、隙間Ｇからの火炎や熱気によるあおりと、加熱発泡材取付け金具２６を通しても伝熱により加熱され、第１の加熱発泡材２４の発泡後、数分で発泡する。このため、発泡後の第１の加熱発泡材２４ａとドア本体２との間に一時的に生じた隙間は、発泡した第２の加熱発泡材２５ａにより閉塞される。
【００２５】
このため、吊元側縦枠３とドア本体２との間における隙間の発生が防止され、室外側で発生した火災の室内側への延焼が防止される。本実施の形態の場合、加熱発泡材取付け金具２６を通して火災による熱が第２の加熱発泡材２５に伝達されるため、第１の加熱発泡材２４が発泡した後、第２の加熱発泡材２５が迅速に発泡するので、吊元側縦枠３とドア本体２の吊元側端部との間の隙間が確実に閉塞される。
【００２６】
また、本実施の形態のように、吊元側縦枠３がブリッジ材３ｃにより室外側部材３ａと室内側部材３ｂとがブリッジ材３ｃにより結合されて構成される場合であっても、もしくはブリッジ材３ｃが無い場合であっても、すなわち縦枠３の構成の如何にかかわらず、加熱発泡材取付け金具２６による伝熱により、第２の加熱発泡材２５を確実に発泡させることが可能となる。
【００２７】
このように、本実施の形態によれば、加熱発泡材２４，２５によって縦枠３とドア本体２との間の隙間発生が防止され、ドア本体の反り防止金具やその受け金具が不要となる。ここで、加熱発泡材２４，２５は従来の反り防止金具や受け金具に比較して廉価に入手できるため、ドアの価格を低減できる。
【００２８】
図９に本発明の加熱発泡材の取付け構造の他の実施の形態を示す。この実施の形態は、加熱発泡材取付け金具２６を用いず、第１の加熱発泡材３０と第２の加熱発泡材３１をそれぞれ吊元側縦枠３のドア本体２の端面２ａと室内側面２ｂに対向する見込面３ｄや合成樹脂材３ｅに両面テープ（図示せず）や接着により固着すると共に、リベットやねじ等の固定具３２，３３により固定して取付けたものである。この実施の形態においても、第１の加熱発泡材３０より第２の加熱発泡材３１が遅れて発泡するために、室外側で発生した火災が発生した場合、吊元側縦枠３とドア本体２との間の隙間の発生を防止することができる。
【００２９】
なお、図９の実施の形態において、縦枠３の構成、すなわちブリッジ材３ｃを有するか否かで異なる縦枠３の加熱発泡材３０，３１間の伝熱抵抗の大小等により、第１の加熱発泡材３０と第２の加熱発泡材３１との発泡の時間差の長短が生じることを考慮して、第２の加熱発泡材３１を第１の加熱発泡材３０の発泡開始温度より低くして発泡の時間差が数分程度となるようにしてもよい。
【００３０】
図９の実施の形態においてもドア本体の反り防止金具やその受け金具が不要となるため、ドアの価格を低減できる。
【００３１】
以上本発明を実施の形態により説明したが、本発明を実施する場合、本発明の要旨を逸脱しない範囲において、構成部材やその組み合わせについて、種々の変更、付加が可能である。
【符号の説明】
【００３２】
１：ドア枠、２：ドア本体、３：吊元側縦枠、４：戸先側縦枠、５：上枠、６：下枠、７：ハンドル、８ａ，８ｂ：シリンダー錠、１０：内側表面板、１１：外側表面板、１２：断熱材、１９，２１：枢着軸、２４，３０：第１の加熱発泡材（第１の耐火材）、２５，３１：第２の加熱発泡材（第２の耐火材）、２６：加熱発泡材取付け金具、２７，２８，３２，３３：固定具
【図１】
2015178711.tif 000003
【図２】
2015178711.tif 000004
【図３】
2015178711.tif 000005
【図４】
2015178711.tif 000006
【図５】
2015178711.tif 000007
【図６】
2015178711.tif 000008
【図７】
2015178711.tif 000009
【図８】
2015178711.tif 000010
【図９】
2015178711.tif 000011